(57)【要約】【課題】本発明は、目覚まし効果をよく発揮することができる電子装置のアラームインターフェースの解除方法を提供することを目的とする。【解決手段】本発明の電子装置のアラームインターフェースの解除方法は、タッチスクリーンを有する電子装置に用いられ、アラーム目覚ましイベント信号を出力して、前記タッチスクリーンにタッチ領域を有するアラームインターフェースを表示するステップと、前記タッチスクリーンにおける前記タッチ領域の位置を動態的に変えるステップと、ユーザーの押圧操作を検出するステップと、前記押圧操作が前記タッチ領域をトリガーしたかどうかを判断するステップと、前記押圧操作が前記タッチ領域に行われた場合、前記アラームインターフェースを解除するステップと、を備える。【選択図】図５
2012159500.tif 000002
【特許請求の範囲】
【請求項１】
タッチスクリーンを有する電子装置のアラームインターフェースの解除方法であって、
アラーム目覚ましイベント信号を出力して、前記タッチスクリーンにタッチ領域を有するアラームインターフェースを表示するステップと、
前記タッチスクリーンにおける前記タッチ領域の位置を動態的に変えるステップと、
ユーザーの押圧操作を検出するステップと、
前記押圧操作が前記タッチ領域に行われたかどうかを判断するステップと、
前記押圧操作が前記タッチ領域に行われた場合、前記アラームインターフェースを解除するステップと、
を備えることを特徴とする電子装置のアラームインターフェースの解除方法。
【請求項２】
前記押圧操作が前記タッチ領域に行われたかどうかを判断するステップは、
前記押圧操作が前記タッチ領域に位置するかどうかを判断するステップと、
前記押圧操作時間が予め設定した時間を超えるかどうかを判断するステップと、
を備えることを特徴とする請求項１に記載の電子装置のアラームインターフェースの解除方法。  
【請求項３】
前記タッチスクリーンにおける前記タッチ領域の位置を動態的に変えるとともに、動画効果を表示することを特徴とする請求項１に記載の電子装置のアラームインターフェースの解除方法。
【請求項４】
前記動画効果は前記タッチスクリーンにおける前記タッチ領域の位置の変化によって変化することを特徴とする請求項３に記載の電子装置のアラームインターフェースの解除方法。
【請求項５】
前記動画効果は、導火線を有する爆弾点火動画であり、前記爆弾の導火線は、前記タッチ領域の接触点に接続されることを特徴とする請求項４に記載の電子装置のアラームインターフェースの解除方法。
【請求項６】
前記押圧操作が前記タッチ領域に行われると、前記タッチスクリーンにおける前記タッチ領域の位置を動態的に変えることを一時停止することを特徴とする請求項１〜４のいずれか一項に記載の電子装置のアラームインターフェースの解除方法。
【請求項７】
前記タッチ領域は、少なくとも２つの接触点を備え、前記押圧操作が前記タッチ領域に行われたかどうかを判断するステップは、前記押圧操作が前記タッチ領域の少なくとも２つの前記接触点を同時に押圧したかどうかを判断するステップを備えることを特徴とする請求項１〜６のいずれか一項に記載の電子装置のアラームインターフェースの解除方法。
【発明の詳細な説明】
【技術分野】
【０００１】
本発明は、タッチスクリーンを有する電子装置のアラームインターフェースの解除方法に関するものである。
【背景技術】
【０００２】
スマートフォン、タブレットコンピューターのような携帯式電子装置には、目覚まし機能を有するアラームがインストールされており、前記アラームは規定時間に所定の音楽を放送して目覚まし機能を実現し、所定時間を超えると前記アラームの目覚まし機能が終了したり、ユーザーが前記電子装置の終了ボタンを押圧することにより、前記アラームの目覚まし機能を終了させる。
【発明の概要】
【発明が解決しようとする課題】
【０００３】
しかし、ユーザーが睡眠中から完全には覚醒していない時、上記の簡単な操作だけでアラームの目覚まし機能を終了させると、目覚まし効果を十分に発揮することができない。
【０００４】
本発明の目的は、前記課題を解決することであり、目覚まし効果をよく発揮することができる電子装置のアラームインターフェースの解除方法を提供することである。
【課題を解決するための手段】
【０００５】
本発明に係る電子装置のアラームインターフェースの解除方法は、タッチスクリーンを有する電子装置に用いられ、アラーム目覚ましイベント信号を出力して、前記タッチスクリーンにタッチ領域を有するアラームインターフェースを表示するステップと、前記タッチスクリーンにおける前記タッチ領域の位置を動態的に変えるステップと、ユーザーの押圧操作を検出するステップと、前記押圧操作が前記タッチ領域に行われたかどうかを判断するステップと、前記押圧操作が前記タッチ領域に行われた場合、前記アラームインターフェースを解除するステップと、を備える。
【発明の効果】
【０００６】
本発明の電子装置のアラームインターフェースの解除方法は、ユーザーとのインタラクティブを増加したので、目覚まし効果をよく発揮することができる。
【図面の簡単な説明】
【０００７】
【図１】本発明の実施形態に係る電子装置のブロック図である。
【図２】本発明の実施形態に係る電子装置のアラームインターフェースの解除方法を実現する機能ブロック図である。
【図３】本発明の実施形態に係る電子装置のアラームインターフェースを示す図である。
【図４】本発明の実施形態に係る電子装置のアラームインターフェースを示す図である。
【図５】本発明の実施形態に係る電子装置のアラームインターフェースの解除方法のフローチャートである。
【発明を実施するための形態】
【０００８】
図１を参照すると、本発明の実施形態に係る電子装置は、スマートフォン、タブレットコンピューターのような携帯式電子装置である。前記電子装置は、ＣＰＵ１０と、メインメモリー１２と、記憶装置１４と、ディスプレイカード１６と、タッチスクリーン２０と、Ｉ/Ｏインターフェース２２と、ネットワークカード２４と、圧力感知装置２６と、を備える。前記記憶装置１４は、フラッシュメモリであることができ、前記ＣＰＵ１０によって実行されるアプリケーションソフトを格納するために用いられる。前記圧力感知装置２６は、前記タッチスクリーン２０に接続されて、ユーザーが前記タッチスクリーン２０に印加する圧力値を感知し、且つ感知した前記圧力値を前記ＣＰＵ１０に伝送する。
【０００９】
図２を参照すると、前記電子装置は、アラームインターフェースを表示するか又はアラームインターフェースを解除するために、アラームトリガーモジュール４２と、アラームインターフェース制御モジュール４５と、入力判断モジュール４７と、を備える。
【００１０】
前記アラームトリガーモジュール４２は、システム時間及びユーザーが予め設定した時間によって、アラーム目覚ましイベント信号を出力し、且つ前記アラームインターフェース制御モジュール４５に伝送する。
【００１１】
前記入力判断モジュール４７は、ユーザーが前記タッチスクリーン２０に対するスライド、クリックなどの操作を監視し、且つスライド、クリックの座標位置を前記アラームインターフェース制御モジュール４５に伝送する。
【００１２】
図３を参照すると、前記アラームインターフェース制御モジュール４５は、前記アラームトリガーモジュール４２から伝送されたアラーム目覚ましイベント信号に基づいて、アラームインターフェース５０を形成して、前記電子装置がスタンバイモード又は使用モードからアラームモード入ることにする。前記アラームモードにおいて、ユーザーは予め設定した条件を完了しなければ再びスタンバイモード又は使用モードに戻ることができない。前記アラームインターフェース制御モジュール４５は、動画放送サブモジュール４５２及びタッチサブモジュール４５５を備える。
【００１３】
本実施形態において、前記アラームインターフェース５０は、時間表示イメージ５１及び動態表示イメージ５３を備える。前記時間表示イメージ５１は、システム時間を動態的に表示する。前記動態表示イメージ５３は、タッチ領域５３６及び動画表示領域５３８を備える。前記動画放送サブモジュール４５２は、前記動画表示領域５３８を形成し且つ動画効果を表示するために用いられる。前記タッチサブモジュール４５５は、前記タッチ領域５３６を形成し且つユーザーの前記タッチ領域５３６に対するタッチ操作に応答するように形成される。前記動画効果は、１つの導火線を有する爆弾点火動画である。前記タッチ領域５３６は、接触点５３６２を備える。前記接触点５３６２は、手指の大きさを有するタッチ領域に設定されて、ユーザーの押圧操作に応答するようになっている。前記動画効果の導火線は、前記接触点５３６２に接続される。前記アラームインターフェース制御モジュール４５は、前記タッチスクリーン２０における前記接触点５３６２の位置を動態的に変えるとともに、前記動画効果を音声出力することができる。前記接触点５３６２の位置は、ユーザーが設定した頻度によって動態的に変える。前記動画効果は前記タッチスクリーン２０における前記接触点５３６２の位置の変化によって変化し、本実施形態において、前記爆弾の導火線は、前記タッチスクリーン２０における前記接触点５３６２の位置の変化に随って変化し、前記接触点５３６２は、前記導火線の自由端に位置するか又は前記導火線と重なり合うことができる。前記入力判断モジュール４７は、ユーザーのタッチ操作を判断して、前記接触点５３６２に対する押圧操作を実現する。
【００１４】
図４を参照すると、他の実施形態において、動態表示イメージのタッチ領域は、少なくとも２つの接触点を備えることができる。本実施形態において、前記アラームインターフェース５０は、時間表示イメージ５１及び動態表示イメージ５４を備える。前記動態表示イメージ５４は、タッチ領域５４６及び動画表示領域５４８を備える。前記動画表示領域５４８に動画効果を表示する。前記動画効果は、２つの導火線を有する爆弾点火動画である。前記タッチ領域５４６は、第一接触点５４６２及び第二接触点５４６３を備える。前記第一接触点５４６２及び前記第二接触点５４６３は、それぞれ手指の大きさを有するタッチ領域に設定されて、ユーザーの押圧操作に応答するようになっている。前記爆弾の２つの導火線は、前記第一接触点５４６２及び前記第二接触点５４６３にそれぞれに接続される。前記入力判断モジュール４７は、ユーザーのマルチタッチ操作を判断して、前記第一接触点５４６２及び前記第二接触点５４６３に対する同期押圧操作を実現する。
【００１５】
前記アラームインターフェース制御モジュール４５は、ユーザーの押圧操作が前記タッチ領域に位置すると検出した場合、前記タッチスクリーン２０における前記接触点の位置を動態的に変えることを一時停止する。ユーザーが前記接触点を押圧する時間が所定時間を超えると、前記アラームインターフェース５０は解除される。
【００１６】
図５を参照すると、電子装置のアラームインターフェースの解除方法は、以下のステップを備える。
【００１７】
ステップＳ７０１：アラーム目覚ましイベント信号を出力して、前記タッチスクリーン２０にタッチ領域を有する前記アラームインターフェース５０を表示する。
【００１８】
ステップＳ７０３：前記タッチスクリーン２０における前記タッチ領域の位置は動態的に変化する。前記タッチスクリーン２０における前記タッチ領域の位置の動態的変化とともに、動画効果を音声出力する。前記動画効果は、前記タッチ領域の位置の変化によって変化する。
【００１９】
ステップＳ７０５：ユーザーの押圧操作を検出する。
【００２０】
ステップＳ７０７〜Ｓ７０９：前記押圧操作が前記タッチ領域に行われたかどうかを判断し、具体的に以下のステップを備える。
【００２１】
ステップＳ７０７：前記押圧操作が前記タッチ領域に位置するかどうかを判断する。もし前記押圧操作が前記タッチ領域に位置すると、前記タッチスクリーン２０における前記タッチ領域の位置を動態的に変えることを一時停止して、ステップＳ７０９に入る。もし前記押圧操作が前記タッチ領域に位置しないと、ステップＳ７０５に戻る。
【００２２】
ステップＳ７０９：前記押圧操作時間が予め設定した時間を超えるかどうかを判断する。もし前記押圧操作時間が予定時間を超えると、ステップＳ７１１に入る。もし前記押圧操作時間が予定時間を超えないと、ステップＳ７０５に戻る。
【００２３】
ステップＳ７１１：前記アラームインターフェース５０を解除する。
【００２４】
本発明の電子装置は、前記アラームインターフェース５０を表示するとともに音声を出力することができる。
【００２５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２６】
１０  ＣＰＵ
１２  メインメモリー
１４  記憶装置
１６  ディスプレイカード
２０  タッチスクリーン
２２  Ｉ/Ｏインターフェース
２４  ネットワークカード
２６  圧力感知装置
４２  アラームトリガーモジュール
４５  アラームインターフェース制御モジュール
４７  入力判断モジュール
５０  アラームインターフェース
５１  時間表示イメージ
５３，５４  動態表示イメージ
４５２  動画放送サブモジュール
４５５  タッチサブモジュール
５３６，５４６  タッチ領域
５３８，５４８  動画表示領域
５３６２  接触点
５４６２  第一接触点
５４６３  第二接触点
【図１】
2012159500.tif 000003
【図２】
2012159500.tif 000004
【図３】
2012159500.tif 000005
【図４】
2012159500.tif 000006
【図５】
2012159500.tif 000007